(57)【特許請求の範囲】
【請求項１】
構造物の屋内側と屋外側とを連通する開口部の屋外側の床部に配置され、かつ、幅方向における両端部が、前記開口部を形成する幅方向において離間して配置される一対の枠部材と屋内外方向においてそれぞれ対向する止水板と、
前記止水板の屋内側の側面のうち、少なくとも前記一対の枠部材と屋内外方向において対向する部分にそれぞれ設けられ、前記枠部材と前記止水板との間を止水する一対の第１止水部材と、
前記止水板の底面に設けられ、幅方向における両端部が前記一対の第１止水部材とそれぞれ連結され、前記床部と前記止水板との間を止水する第２止水部材と、
前記止水板の屋内側の側面に対して、幅方向周りに回転自在に支持され、前記一対の枠部材にそれぞれ対応して設けられる一対の押圧機構と、
前記一対の押圧機構に対して、幅方向周りに回転自在に支持され、前記一対の枠部材に着脱自在にそれぞれ固定される一対の固定機構と、
前記一対の枠部材に対する前記止水板の位置関係を保持する保持機構と、
を備え、
前記一対の固定機構は、前記止水板が前記床部に接地し、かつ、屋外側に傾斜した傾斜状態で、前記一対の枠部材にそれぞれ固定され、
前記第１止水部材は、前記止水板が前記傾斜状態から前記床部に対して立位した立位状態となることで、少なくとも前記枠部材にそれぞれ密接し、
前記第２止水部材は、前記止水板が前記傾斜状態から前記立位状態となることで、前記止水板により前記床部に押圧され、前記床部に密接し、
前記保持機構は、前記止水板の前記立位状態を保持し、
前記押圧機構は、前記止水板の屋内側の側面に当接可能な当接部と、前記当接部より屋内側に配置され、幅方向において前記当接部より突設された鍔部とを有し、
前記当接部は、前記止水板の前記立位状態において前記止水板の屋内側の側面に当接し、
前記鍔部は、前記止水板を前記傾斜状態から前記立位状態とする際に、前記止水板の屋内側の側面と対向し、前記止水板の屋内側の側面より屋内側、かつ、前記当接部に対して幅方向における少なくともいずれか一方の側に空間部を形成する、
ことを特徴とする止水装置。
【請求項２】
前記鍔部は、前記当接部に対して幅方向の両側に突設されている、
請求項１に記載の止水装置。
【請求項３】
前記当接部は、前記鍔部の幅方向の中央部に配置されている、
請求項１または２に記載の止水装置。
【発明の詳細な説明】
【技術分野】
【０００１】
本発明は、止水装置に関する。
【背景技術】
【０００２】
従来、豪雨、津波、河川の氾濫などの水害時に、外部である屋外からの氾濫水などの水は、構造物の開口部から内部である構造物内（屋内）に浸入するため、構造物の開口部に止水装置が設けられている。例えば、開口部を形成する幅方向において離間して配置される一対の枠部材の間に止水板を配置して、止水板と一対の枠部材および止水板と床部との間をゴムなどで止水する止水装置がある（特許文献１）。
【先行技術文献】
【特許文献】
【０００３】
【特許文献１】特開２０１２−２４６６６８号公報
【発明の概要】
【発明が解決しようとする課題】
【０００４】
上記のような止水装置は、複数のノブによって調整が必要となり、構造が複雑である。また、開口部に対して止水板を初めから立位状態で配置することとなり、その後、ノブの調整により斜め下方に止水板を押圧する。このように、止水装置は、開口部に配置するユーザーの作業が繁雑となるおそれがある。
【０００５】
本発明は、上記の事情に鑑みてなされたものであって、開口部に容易に着脱することができる止水装置を提供することを目的とする。
【課題を解決するための手段】
【０００６】
上記目的を達成するために、本発明に係る止水装置は、構造物の屋内側と屋外側とを連通する開口部の屋外側の床部に配置され、かつ、幅方向における両端部が、前記開口部を形成する幅方向において離間して配置される一対の枠部材と屋内外方向においてそれぞれ対向する止水板と、前記止水板の屋内側の側面のうち、少なくとも前記一対の枠部材と屋内外方向において対向する部分にそれぞれ設けられ、前記枠部材と前記止水板との間を止水する一対の第１止水部材と、前記止水板の底面に設けられ、幅方向における両端部が前記一対の第１止水部材とそれぞれ連結され、前記床部と前記止水板との間を止水する第２止水部材と、前記止水板の屋内側の側面に対して、幅方向周りに回転自在に支持され、前記一対の枠部材にそれぞれ対応して設けられる一対の押圧機構と、前記一対の押圧機構に対して、幅方向周りに回転自在に支持され、前記一対の枠部材に着脱自在にそれぞれ固定される一対の固定機構と、前記一対の枠部材に対する前記止水板の位置関係を保持する保持機構と、を備え、前記一対の固定機構は、前記止水板が前記床部に接地し、かつ、屋外側に傾斜した傾斜状態で、前記一対の枠部材にそれぞれ固定され、前記第１止水部材は、前記止水板が前記傾斜状態から前記床部に対して立位した立位状態となることで、少なくとも前記枠部材にそれぞれ密接し、前記第２止水部材は、前記止水板が前記傾斜状態から前記立位状態となることで、前記止水板により前記床部に押圧され、前記床部に密接し、前記保持機構は、前記止水板の前記立位状態を保持し、前記押圧機構は、前記止水板の屋内側の側面に当接可能な当接部と、前記当接部より屋内側に配置され、幅方向において前記当接部より突設された鍔部とを有し、前記当接部は、前記止水板の前記立位状態において前記止水板の屋内側の側面に当接し、前記鍔部は、前記止水板を前記傾斜状態から前記立位状態とする際に、前記止水板の屋内側の側面と対向し、前記止水板の屋内側の側面より屋内側、かつ、前記当接部に対して幅方向における少なくともいずれか一方の側に空間部を形成する、ことを特徴とする。
【０００７】
上記止水装置において、前記鍔部は、前記当接部に対して幅方向の両側に突設されている、ものとすることができる。
【０００８】
上記止水装置において、前記当接部は、前記鍔部の幅方向の中央部に配置されている、ものとすることができる。
【発明の効果】
【０００９】
本発明に係る止水装置は、開口部に容易に着脱することができる、という効果を奏する。
【図面の簡単な説明】
【００１０】
【図１】図１は、実施形態に係る止水装置の概略構成を表す正面図である。
【図２】図２は、図１に示された止水装置の押圧機構と固定機構とを表す斜視図である。
【図３】図３は、図１に示された止水装置の押圧機構と固定機構と保持機構とを表す斜視図である。
【図４】図４は、図１に示された止水装置を表す側面図であり、止水板の立位状態を示す。
【図５】図５は、図１に示された止水装置を表す側面図であり、止水板の傾斜状態を示す。
【図６】図６は、図１に示された止水装置の保持機構を表す部分拡大図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
図１は、実施形態１に係る止水装置の概略構成を表す正面図である。図１に示す実施形態の止水装置１は、開口部Ｏから構造物Ｓの内部に水が浸入することを防止するものである。開口部Ｏは、構造物Ｓの壁部Ｗなどに形成され、構造物Ｓの一方の空間側（例えば、屋外側）と他方の空間側（例えば、屋内側）とを連通するように形成される。なお、防止とは、阻止や抑制などの意味を含むものとする。
【００１３】
このような構造物Ｓの開口部Ｏには、開閉体としてシャッターや開閉扉が配置されていることが多い。例えば、地下駐車場の入口や、店舗の入口等にもシャッターや開閉扉が配置されていることが多い。シャッターは、隙間が多い構造であるため、ゲリラ豪雨や洪水時のように想定以上の降水量となるとシャッターの隙間を介して浸水して施設が被害に遭う可能性がある。また、開閉扉は、扉間および各扉と開口部との間に隙間があるため、同様に施設が被害に遭う可能性がある。
【００１４】
図１に示す実施形態の止水装置１は、ビル，家屋，倉庫等の構造物を含む構造物Ｓに形成された開口部Ｏを開放あるいは閉塞する開閉体（開閉扉）２を通して構造物Ｓの内部に水が浸入することを防止するものである。
【００１５】
なお、以下の説明では、水平方向に沿った方向であって後述する枠体３の一対の縦枠部材（方立）３１が向かい合う方向を「幅方向」という。また、上流側（屋外側）から下流側（屋内側）に向かう方向を「屋内外方向」という。また、枠体３の一対の縦枠部材３１が延在する方向を「上下方向」という。ここで、屋内側とは、水の浸入を防止、すなわち、水の浸入を阻止や抑制したい側であり、屋外側とは、浸入可能性のある水が流れてくる側のことである。なお、屋外側や屋内側とは、水が浸入する可能性がある場合の上流側や下流側を意味する便宜上の文言である。本発明は、例えば廊下等の通路のような家屋や部屋等の概念が必ずしも明確にならない場所に配置された扉に対しても適用できる。ここで、「幅方向」とは屋内外方向と直交し、一対の枠部材が離間して配置される方向であり、「上下方向」とは屋内外方向および幅方向と直交する方向である。
【００１６】
開閉扉２は、図１に示すように、枠体３の屋内側に配置され、幅方向にスライド可能に支持された両開き式の一対の扉２１を有する。開閉扉２は、扉２１が開口部Ｏを閉塞させる閉塞位置と、開口部Ｏを開放させる開放位置とに亘って枠体３に対して幅方向にスライドすることで、開口部Ｏを開放あるいは閉塞する。具体的に、開閉扉２は、一対の扉２１が互いに近付いて開口部Ｏを閉塞し、一対の扉２１が互いに離間して開口部Ｏを開放する。このような扉２１の移動は、手動でなされても、モータ等の駆動装置によって自動でなされてもよい。また、開閉扉２が後述する止水板４と接触しないため、開閉扉２は、止水板４を開口部Ｏに配置した状態で開閉可能である。
【００１７】
扉２１は、図示しないガイドレールによって案内される。ガイドレールは、開口部Ｏの上下両端に配置され、壁部Ｗの表面と平行である。扉２１の上下方向両端部は、それぞれガイドレールの溝部に挿入されている。溝部は、開閉方向、すなわち、幅方向に延在しており、扉２１を幅方向にスライド自在に案内する。図１に示すように、扉２１の幅方向の両端には、扉２１よりも厚い扉側縦方立２１ａが配置されている。また、扉２１の下端部には、扉２１よりも厚い扉側幅木２１ｂが配置されている。扉側縦方立２１ａの厚みは、扉側幅木２１ｂの厚みと等しい。なお、本発明でいう床面（床部）Ｆとは、説明上分かりやすくするための便宜上の表現であって、通常の床面Ｆのみならず、コンクリート面や地面等の開口部Ｏの下方に位置する面を総称する。
【００１８】
枠体３は、図１に示すように、開口部Ｏの周囲の壁部Ｗよりも厚く、防錆性を有する金属材で構成されている。枠体３は、開口部Ｏの周囲を囲むように構造物Ｓに配置されている。枠体３は、左右一対の縦枠部材（方立）３１と、上枠部材３２と、下枠部材（幅木）３３とを含んで構成される。一対の縦枠部材３１と上枠部材３２と下枠部材３３とは、それぞれ板状の金属材により中空状の断面形状に形成されている。
【００１９】
縦枠部材３１は、開口部Ｏの幅方向の両端部に一対が配置され、上下方向に延在している。一対の縦枠部材３１は、開閉扉２よりも屋外側に配置されている。一対の縦枠部材３１は、幅方向において開口部Ｏの空間部分を挟んで対向する対向面３１ａを有している。上枠部材３２は、開口部Ｏの上部に配置されている。下枠部材３３は、開口部Ｏと隣接する壁部Ｗの下部において床面Ｆの上方に配置されている。上枠部材３２および下枠部材３３は、幅方向に延在している。一対の縦枠部材３１の上端部と上枠部材３２の両端部とは、開口部Ｏの内面側にて連結されている。また、一対の縦枠部材３１の下端部と下枠部材３３の一端部とは、連結されている。このように構成された枠体３は、全体として開口部Ｏに対応した形状である。
【００２０】
止水板４は、浸水時、屋外側からの水圧によって屋内側、すなわち、縦枠部材３１に押圧されて押し付けられる。止水板４は、開口部Ｏの下部の領域を閉塞することが可能な幅および高さを有する直方体状である。止水板４は、防錆性を有する板状の金属材を加工してパネル状に形成されている。止水板４は、人が跨ぐことで開閉扉２を介して構造物Ｓの出入りが可能である。止水板４は、開口部Ｏの幅、すなわち、対向する縦枠部材３１間の幅よりも大きな幅で、人が跨ぐことができる高さ、具体的には例えば、数１０ｃｍに設定されている。止水板４は、開口部Ｏの床面Ｆから数１０ｃｍの高さを閉塞し、浸水時に屋内側への水の浸入を防止する。この止水板４は、屋外側の床面Ｆに配置される。
【００２１】
また、止水板４は、持ち運び自在な重量であり、浸水時の水圧に耐え得る剛性を有している。止水板４は、より詳しくは、アルミを含む防錆性を有する軽量の金属板を断面形状がコの字型に加工して骨材とし、４つの骨材を組み合わせた四角形のフレームを有する。このフレームの正面および背面の開口部が四角形のパネルでそれぞれ閉塞されて、止水板４は、形成される。また、フレームとパネルとで囲われた内部の空間に充填剤を充填することで、止水板４は、軽量で剛性の高いものとなる。この止水板４は、浸水時、屋外側からの水圧によって屋内側、すなわち、縦枠部材３１に押圧されて押し付けられる。
【００２２】
縦止水ゴム（第１止水部材）５は、図２ないし図４に示すように、止水板４の屋内側面（屋内側の側面）４ａの幅方向の両端部に一対が配置されている。縦止水ゴム５は、屋内側面４ａにおいて幅方向の端部に、止水板４の短手方向（高さ方向）全長に亘って配置されている。縦止水ゴム５は、図４に示すように、止水板４が枠体３に配置された状態で、止水板４と枠体３の縦枠部材３１との間に介在する。このとき、縦止水ゴム５は、縦枠部材３１に押圧されて弾性変形している。一対の縦止水ゴム５は、一対の縦枠部材３１に密接している。このため、一対の縦止水ゴム５は、止水板４と一対の縦枠部材３１の当接部との間を水が流れることを抑制する。すなわち、一対の縦止水ゴム５は、一対の縦枠部材３１において屋外側から屋内側に水が浸入することを抑制する。
【００２３】
底面止水ゴム（第２止水部材）６は、図４に示すように、止水板４の床面Ｆと対向する面、すなわち、止水板４の底面に長手方向（幅方向）全長に亘って配置されている。底面止水ゴム６は、止水板４が枠体３に配置された状態で、止水板４と床面Ｆとの間に介在する。このとき、底面止水ゴム６は、床面Ｆに押圧されて弾性変形している。このため、底面止水ゴム６は、床面Ｆに密接している。このため、底面止水ゴム６は、止水板４と床面Ｆの当接部との間を水が流れることを抑制する。すなわち、底面止水ゴム６は、屋外側から屋内側に水が浸入することを抑制する。
【００２４】
押圧機構７は、図４に示すように、止水板４が床面Ｆに対して立位した状態（以下、「立位状態」という）において、止水板４を床面Ｆに押圧するものである。押圧機構７は、縦枠部材３１に固定された後述する固定機構８と止水板４との間で幅方向周りに回転自在に支持されるものである。より詳しくは、押圧機構７は、固定機構８に対して幅方向周りに回転自在、かつ、止水板４に対して幅方向周りに回転自在に配置されている。押圧機構７は、枠部材３１に対応して止水板４の幅方向における端部に一対が配置される。押圧機構７は、止水板４を床面Ｆに押圧することが可能な強度を有する、例えば、金属製である。押圧機構７は、後述する取付金具１０に固定されている。押圧機構７は、当接部７１と鍔部７２と押圧部７３と回転軸７４とを備える。
【００２５】
当接部７１は、止水板４の立位状態において、屋内側面４ａに当接可能に構成されているものである。当接部７１には、止水板４の立位状態において、止水板４を縦枠部材３１に押圧する押圧力が作用する。また、当接部７１は、図５に示すように、止水板４が床面Ｆに対して傾斜した状態（以下、「傾斜状態」という）において、屋内側面４ａから離間するように構成されているものである。この当接部７１は、幅方向視において、屋内側面４ａと当接する側、すなわち、屋内外方向の屋外側が直線状に形成され、屋内側面４ａと当接する側と反対側、すなわち、屋内外方向の屋内側が屋内側に凸な曲線状に形成された板材で形成されている。当接部７１は、厚み方向が幅方向と一致して配置されている。当接部７１は、止水板４の立位状態における上下方向の下部に貫通孔（不図示）が形成されている。この貫通孔は、幅方向に貫通している。貫通孔は、後述する回転軸７４の軸部が回転自在に挿入されている。
【００２６】
鍔部７２は、止水板４を傾斜状態から立位状態へする際に、ユーザーによって把持される部分である。鍔部７２は、当接部７１より屋内側に配置されている。鍔部７２は、当接部７１と一体に形成されている。本実施形態では、幅方向視において、鍔部７２は、当接部７１の曲線状の端面から幅方向に突設された板状に形成されている。鍔部７２は、幅方向において当接部７１より突出している。言い換えると、鍔部７２は、当接部７１に対してフランジ状に形成されている。これにより、鍔部７２は、止水板４を傾斜状態から立位状態とする際に、止水板４の屋内側面４ａと対向し、屋内側面４ａより屋内側、かつ、当接部７１に対して幅方向における少なくともいずれか一方の側に空間部Ａを形成する。空間部Ａは、止水板４が立位状態となった状態においても、止水板４の屋内側面４ａと対向し、屋内側面４ａより屋内側、かつ、当接部７１に対して幅方向における少なくともいずれか一方の側に形成されている。空間部Ａは、止水板４の配置時にユーザーが鍔部７２を把持する際にユーザーの指先を位置させることができる程度の大きさを有する。
【００２７】
押圧部７３は、止水板４の立位状態において、止水板４の上下方向の上端より上方に位置する。押圧部７３は、当接部７１および鍔部７２と一体に形成されている。押圧部７３は、止水板４の立位状態において、当接部７１および鍔部７２の上方に位置する。より詳しくは、押圧部７３は、当接部７１および鍔部７２とともに幅方向視において略くの字形に形成されている。押圧部７３は、止水板４の立位状態における上部、かつ、屋内側の端部にねじ孔（不図示）が形成されている。言い換えると、ねじ孔は、上記の略くの字形の形状の曲げ部近傍に形成されている。このねじ孔は、幅方向に貫通している。ねじ孔は、後述するノブ８５の軸部８５ａが螺合可能である。押圧部７３は、後述する保持機構９を係止するアーム受具７３ａが配置されている。アーム受具７３ａが保持機構９と係止することによって、アーム受具７３ａは、止水板４の姿勢を起立状態に保持するようになっている。より詳しくは、押圧部７３が保持機構９と係止すると、枠部材３１に固定された固定機構８と止水板４との間における回転が規制されて、押圧機構７の姿勢が固定される。
【００２８】
回転軸７４は、押圧機構７を止水板４の屋内側面４ａに対して幅方向周りに回転自在とする回転軸である。この回転軸７４により、当接部７１を有する押圧機構７は、止水板４に対して幅方向周りに回転自在に配置されている。
【００２９】
固定機構８は、一対の押圧機構７に対して幅方向周りに回転自在に支持され、一対の枠部材３１に着脱自在にそれぞれ固定されるものである。本実施形態における固定機構８は、止水板４に対して幅方向における位置を変化させることで、枠部材３１の幅方向において対向する対向面３１ａ（図４，図５参照）にそれぞれ接触するとともに、対向面３１ａを幅方向外側にそれぞれ押圧することで、枠部材３１にそれぞれ固定される。固定機構８は、接触部材８１と第１緩衝部材８２と第２緩衝部材８３と支持部材８４とノブ８５とを備える。
【００３０】
接触部材８１は、枠部材３１に接触するものである。本実施形態における接触部材８１は、上下方向視においてＬ字型の板材で形成されている。接触部材８１は、対向面３１ａと屋外側面３１ｂと接触する。接触部材８１は、幅方向において枠部材３１をそれぞれ押圧することが可能な強度を有する、例えば、金属製である。
【００３１】
第１緩衝部材８２は、接触部材８１の対向面３１ａと対向する部分に配置される。第１緩衝部材８２は、接触部材８１と対向面３１ａとの間に介在する。第１緩衝部材８２は、接触部材８１が枠部材３１と直接接触することで、枠部材３１が損傷することを抑制するものである。第１緩衝部材８２は、例えば、弾性変形が小さい硬質ゴムなどにより構成されている。
【００３２】
第２緩衝部材８３は、接触部材８１の屋外側面３１ｂと対向する部分に配置される。第２緩衝部材８３は、接触部材８１と屋外側面３１ｂとの間に介在する。第２緩衝部材８３は、接触部材８１が枠部材３１と直接接触することで、枠部材３１が損傷することを抑制するものである。第２緩衝部材８３は、例えば、弾性変形が小さい硬質ゴムなどにより構成されている。
【００３３】
支持部材８４は、接触部材８１の幅方向において対向面３１ａ側と反対側に取り付けられている。支持部材８４は、屋内外方向視において、幅方向において接触部材８１側と反対側に向かって突出する凸型状に形成されており、接触部材８１との間で空間部８４ａが形成されている。支持部材８４は、板厚方向に貫通し、空間部８４ａと連通する挿入孔（不図示）が形成されている。
【００３４】
ノブ８５は、接触部材８１を幅方向周りに回転自在に支持するものである。ノブ８５は、軸部８５ａと把持部８５ｂとを有する。軸部８５ａは、棒状であり、外周面に雄ねじが形成されている。軸部８５ａの幅方向における両端部のうち、一方の端部、すなわち先端部が支持部材８４の挿入孔に挿入され、他方の端部が把持部８５ｂに固定されている。軸部８５ａは、押圧部７３のねじ孔に、先端部が幅方向における外側、すなわち枠部材３１と対向するように螺合されている。ノブ８５は、幅方向周りに回転することで、押圧部７３に対する幅方向における位置が変化する。つまり、ノブ８５は、幅方向周りに回転しなければ、押圧部７３に対する幅方向における位置は変化しない。軸部８５ａは、支持部材８４の空間部８４ａに位置している先端部に抜け止め部材８５ｃ（図６参照）が取り付けられている。つまり、ノブ８５は、接触部材８１を幅方向周りに回転自在に支持された状態で、接触部材８１から先端部が抜けることが規制されている。これらにより、固定機構８は、押圧機構７に対して、幅方向周りに回転自在に支持され、枠部材３１に着脱自在にそれぞれ固定される。把持部８５ｂは、軸部８５ａを幅方向周りに回転させるものであり、ユーザーが把持するものである。把持部８５ｂは、軸部８５ａよりも大きな外径で形成されている。なお、把持部８５ｂは、ユーザーによる把持を容易とするために、外周面に凹凸が形成されていてもよい。
【００３５】
保持機構９は、一対の枠部材３１に対する止水板４の位置関係を保持するものである。より詳しくは、保持機構９は、止水板４を立位状態で保持することで、枠部材３１に対する止水板４の位置関係を保持するものである。本実施形態における保持機構９は、押圧機構７にそれぞれ対応して一対設けられており、上下方向視において、止水板４と押圧機構７の当接部７１との間の屋内外方向における距離が広がることを規制するものである。保持機構９は、後述する取付金具１０に固定されている。保持機構９は、止水板４に対して押圧機構７と反対側、すなわち、屋外側面４ｂに取り付けられている。保持機構９は、レバー９１とアーム９２とを備える、いわゆるパチン錠である。
【００３６】
レバー９１は、アーム９２を幅方向周りに回転自在としたり、アーム９２を押圧機構７に係止した状態で保持したりするものである。レバー９１は、固定部と可動部とを備えている。固定部は、後述する取付金具１０に固定されている。可動部は、第１回動軸９１ａによって固定部に対して幅方向周りに回転自在に支持されている。
【００３７】
アーム９２は、押圧機構７に係止するものである。本実施形態におけるアーム９２は、アーム受具７３ａに係止するものである。アーム９２は、上下方向視において、屋内外方向に延在する略矩形状部材であり、屋内外方向における一方の端部に支持孔（不図示）が形成されている。支持孔は、幅方向に形成された貫通孔であり、第２回転軸９２ａが幅方向周りに回転自在に挿入されるものである。第２回転軸９２ａがレバー９１の固定部に幅方向に平行に固定されているので、アーム９２は、止水板４に対して幅方向周りに回転自在に支持されている。
【００３８】
取付金具１０は、押圧機構７と保持機構９とが組み付けられている金具である。取付金具１０は、矩形状の板材を、止水板４を板厚方向に挟持可能なコの字状に曲げ加工して形成されている。取付金具１０において止水板４の屋内側面４ａと対向する面１０ａには、押圧機構７が組み付けられている。取付金具１０において止水板４の屋外側面４ｂと対向する面１０ｂには、保持機構９が組み付けられている。取付金具１０の面１０ａ，１０ｂには、板厚方向に貫通する貫通孔が対向して形成されている。取付金具１０は、止水板４を挟持した状態で締結部材１１によって止水板４に固定されている。
【００３９】
締結部材１１は、止水板４の屋内側面４ａ，屋外側面４ｂをそれぞれ板厚方向に貫通して形成された貫通孔および取付金具１０の面１０ａ，１０ｂに形成された貫通孔を貫通した状態で締結されている。このように締結部材１１を締結することにより、取付金具１０が止水板４に取り付けられる。
【００４０】
位置決め部材１２は、図１に示すように、止水板４の立位状態において、止水板４の下部を一対の縦枠部材３１に固定するものである。具体的に、位置決め部材１２は、一対の枠部材３１に対して突っ張らせることで、止水板４を枠部材３１に対して固定するものである。位置決め部材１２は、止水板４の幅方向の両端部に対応して一対設けられている。位置決め部材１２は、屋内側面４ａの幅方向の両端部、かつ、上下方向の下部に配置されている。
【００４１】
上記のように構成される止水装置１の使用方法について説明する。開口部Ｏに止水板４を配置する際、ユーザーは、保管場所から止水板４を運搬する。
【００４２】
ユーザーは、開口部Ｏにおける止水板４の配置位置に、屋外側から止水板４を載置する。具体的に、ユーザーは、底面止水ゴム６を止水板４の配置位置、すなわち、止水板４の幅方向における端部が一対の縦枠部材３１と当接する位置に合わせて、止水板４を傾斜状態とする。このとき、ユーザーは、縦止水ゴム５の両方の下端部が枠部材３１に密接するように、止水板４の下端部を枠部材３１に押し当てながら床面Ｆに置くようにする。また、このとき、保持機構９のアーム９２は、押圧機構７のアーム受具７３ａとの係合が解除されている。
【００４３】
そして、ユーザーは、止水板４を把持して傾斜状態を維持したまま、固定機構８を一対の枠部材３１に固定する。具体的に、ユーザーは、一対の接触部材８１を、それぞれ順番に枠部材３１の対向面３１ａおよび屋外側面３１ｂに第１緩衝部材８２および第２緩衝部材８３を介して当接させる。そして、ユーザーは、把持部８５ｂを把持してノブ８５を幅方向周りに回転させて一対の接触部材８１が一対の枠部材３１を幅方向における外側に押圧するようにする。このようにして、図５に示すように、一対の接触部材８１を一対の枠部材３１に対して突っ張らせることで、接触部材８１を枠部材３１に対して固定する。固定機構８が枠部材３１に固定されると、止水板４は、ユーザーが支持しなくても傾斜状態を維持する。このとき、止水装置１を幅方向視において、軸部８５ａと回転軸７４と止水板４および床面Ｆの接地点を結ぶ線がくの字状となる。
【００４４】
そして、ユーザーは、一方の手で屋外側から止水板４を床面Ｆおよび縦枠部材３１に押圧しながら、止水板４を傾斜状態から立位状態とする。このとき、例えば、ユーザーは、屋内側から止水板４を支持するために他方の手で屋内側から押圧機構７の鍔部７２を把持して空間部Ａに指先を位置させてもよい。この空間部Ａは、止水板４を傾斜状態から立位状態とする際に、止水板４の屋内側面４ａと対向し、屋内側面４ａより屋内側、かつ、当接部７１に対して幅方向における少なくともいずれか一方の側に形成されている。このため、止水板４を傾斜状態から立位状態とする際であっても、ユーザーは、指先を空間部Ａに位置させておけば、当接部７１と止水板４との間に指先が位置することが回避される。また、鍔部７２は幅方向において当接部７１より突設され、当接部７１に対してフランジ状に形成されている。このため、当接部７１をユーザーが屋内側から把持しようとしても、ユーザーの手は、当接部７１より先に鍔部７２に接触する。このように、鍔部７２がユーザーの把持し易いフランジ状に形成されているため、止水板４を傾斜状態から立位状態とする際に、ユーザーが不用意に当接部７１を把持することが抑制され、当接部７１と止水板４との間に指先が位置することが抑制される。
【００４５】
また、止水板４が傾斜状態から立位状態となるとき、止水板４の上下方向における上部は、固定機構８の中心、すなわち軸部８５ａを中心に回転する。止水板４の上下方向における上部の回転中心は、枠部材３１に対する相対移動を行えない軸部８５ａであるため、回転軸７４の軌跡により、枠部材３１に近づきながら、上下方向のうち下方に移動する。従って、底面止水ゴム６には、下方の押圧力が作用し、弾性変形する。つまり、底面止水ゴム６は、止水板４が傾斜状態から立位状態となることで、止水板４により床面Ｆに押圧されて床面Ｆと密接する。また、縦止水ゴム５は、止水板４が傾斜状態から立位状態となることで、枠部材３１とそれぞれ密接する。
【００４６】
そして、ユーザーは、止水板４が立位状態となったら、保持機構９のアーム９２をアーム受具７３ａに係止させる。そして、ユーザーは、レバー９１の可動部の下部側を下方に押し下げて固定部と重ねた状態で、アーム９２をアーム受具７３ａに係止させた状態で保持する。このようにして、止水板４は、開口部Ｏに配置される。これにより、縦止水ゴム５により枠部材３１と止水板４との間を止水し、底面止水ゴム６により床面Ｆと止水板４との間を止水する。
【００４７】
なお、２人のユーザーによって、開口部Ｏに止水板４を配置してもよい。具体的には、２人のユーザーは、保管場所から止水板４の幅方向をそれぞれ把持して運搬して、開口部Ｏにおける止水板４の配置位置に、屋外側から止水板４を載置する。そして、例えば、一方のユーザーが止水板４の幅方向の中央部を支持した状態で、他方のユーザーが固定機構８を一対の枠部材３１に固定する。そして、一方のユーザーが屋外側から止水板４を床面Ｆおよび縦枠部材３１に押圧しながら、止水板４を傾斜状態から立位状態とする。このとき、他方のユーザーは、屋内側から止水板４を支持するために屋内側から押圧機構７の鍔部７２を把持して空間部Ａに指先を位置させる。このようにして、２人のユーザーによって、止水板４は、開口部Ｏに配置される。
【００４８】
開口部Ｏに配置された止水板４を取り外す際、ユーザーは、一方の手で止水板４を把持した状態で、他方の手でノブ８５を緩める。そして、ユーザーは、固定機構８を縦枠部材３１から取り外し、止水板４を開口部Ｏから取り外す。このときも、例えば、ユーザーは、他方の手で屋内側から鍔部７２を把持してもよい。そして、ユーザーは、止水板４を保管場所まで運搬して収納する。このようにして、開口部Ｏに配置された止水板４は、取り外される。
【００４９】
以上で説明した実施形態に係る止水装置１は、押圧機構７に鍔部７２が形成されているので、止水板４の屋内側面４ａと対向し、屋内側面４ａより屋内側、かつ、当接部７１に対して幅方向における少なくともいずれか一方の側に空間部Ａが形成されている。このため、例えば、止水板４を傾斜状態から立位状態とする際に、ユーザーは、屋内側から他方の手で鍔部７２を把持して空間部Ａに指先を位置させることができる。このように、止水板４を傾斜状態から立位状態とする際であっても、ユーザーは、指先を空間部Ａに位置させておけば、当接部７１と止水板４との間に指先が位置することを回避できる。また、鍔部７２は幅方向において当接部７１より突設され、当接部７１に対してフランジ状に形成されている。このため、当接部７１をユーザーが屋内側から把持しようとしても、ユーザーの手は、当接部７１より先に鍔部７２に接触する。このように、鍔部７２がユーザーの把持し易いフランジ状に形成されているため、止水板４を傾斜状態から立位状態とする際に、ユーザーが不用意に当接部７１を把持することが抑制され、当接部７１と止水板４との間に指先が位置することが抑制される。しかも、本実施形態において、空間部Ａは、当接部７１に対して幅方向の両側に形成されているので、ユーザーは、空間部Ａの位置を意識する必要がない。
【００５０】
これに対して、押圧機構７に鍔部７２が形成されていない場合や、当接部７１と鍔部７２とが幅方向において同じ幅に形成されている場合について説明する。この場合は、止水板４の屋内側面４ａと対向し、屋内側面４ａより屋内側、かつ、当接部７１に対して幅方向における少なくともいずれか一方の側に空間部Ａが形成されていない。このため、止水板４を傾斜状態から立位状態とするときに、ユーザーが屋内側から止水板４を支持するために押圧機構７を把持すると、ユーザーの指先は、当接部７１と止水板４との間に位置し易い状態となる。すなわち、ユーザーは、指先が当接部７１と止水板４との間に位置しないように注意を払う必要があり、作業性が悪化するおそれがある。
【００５１】
止水装置１は、押圧機構７に鍔部７２が形成され、空間部Ａが形成されているので、ユーザーは、鍔部７２を視認することで、当接部７１と止水板４との間に指先を位置させないように注意することができる。
【００５２】
また、止水装置１は、止水板４の配置、取り外しに工具を必要とせず、短時間で容易に配置、取り外しができる。
【００５３】
上記実施形態において、押圧機構７と固定機構８と保持機構９との構成を説明したが、押圧機構７と固定機構８と保持機構９との構成は、これに限定されない。すなわち、押圧機構は、止水板４の屋内側面４ａに対して、幅方向周りに回転自在に支持され、一対の枠部材３１にそれぞれ対応して一対が設けられるものであればよい。また、固定機構は、一対の押圧機構に対して、幅方向周りに回転自在に支持され、一対の枠部材３１に着脱自在にそれぞれ固定されるものであればよい。さらにまた、保持機構は、一対の枠部材３１に対する止水板４の位置関係を保持するものであればよい。
【００５４】
また、止水装置１を開閉扉２が配置される開口部Ｏに配置するものとして説明したが、開閉扉２は止水板４と接触しないため、開閉扉２が配置されない開口部Ｏであっても止水装置１を適用することができる。
【００５５】
また、縦止水ゴム５は、短手方向（高さ方向）全長に亘って配置されているものとして説明したが、これに限定されるものではない。例えば、止水装置１が適用される場所の予測浸水時水位よりも高くなればよい。すなわち、縦止水ゴム５は、止水板４の底面から予測浸水時水位＋αの高さまで配置されていればよい。
【００５６】
なお、上述した本発明の実施形態に係る止水装置は、上述した実施形態に限定されず、特許請求の範囲に記載された範囲で種々の変更が可能である。本実施形態に係る止水装置は、以上で説明した各実施形態の構成要素を適宜組み合わせることで構成してもよい。
【符号の説明】
【００５７】
１  止水装置
２  開閉体
３  枠体
３１  縦枠部材（枠部材）
３２  上枠部材
３３  下枠部材
４  止水板
４ａ  屋内側面（屋内側の側面）
４ｂ  屋外側面
５  縦止水ゴム（第１止水部材）
６  底面止水ゴム（第２止水部材）
７  押圧機構
７１  当接部
７２  鍔部
Ａ  空間部
８  固定機構
９  保持機構
Ｓ  構造物
Ｏ  開口部
Ｗ  壁部
Ｆ  床面
【図１】
0006573521.tif 000002
【図２】
0006573521.tif 000003
【図３】
0006573521.tif 000004
【図４】
0006573521.tif 000005
【図５】
0006573521.tif 000006
【図６】
0006573521.tif 000007